(57)【要約】【課題】  杉等の低密度材であっても、その強度を充分活かしたユニークな家具構造体を提供する。【解決手段】  本発明の家具構造体Ｃは、フレーム要素Ｆと、ユーティリティ要素Ｕと、連結要素Ｊとを具え、前記フレーム要素Ｆは、必要な強度を発現できる素材が非自立形状の脚柱部材として構成され、前記フレーム要素Ｆとユーティリティ要素Ｕとが組み合わされるにあたっては、一対のフレーム要素Ｆの所定の位置にユーティリティ要素Ｕを挟み込み、この状態で連結効果位置において連結要素Ｊにより一対のフレーム要素Ｆを引き寄せ方向に加重し、ここに挟んだユーティリティ要素Ｕが面方向を交差させていることにより、一対の非自立形状のフレーム要素Ｆの組み合わせが、傾倒方向、捻じり方向共に剛性状態を発現させるように組み合わされることを特徴として成るものである。【選択図】図１
2009293662.tif 000002
【特許請求の範囲】
【請求項１】
フレーム要素と、ユーティリティ要素と、連結要素とを具え、
前記フレーム要素は、必要な強度を発現できる素材が非自立形状の脚柱部材として構成され、このフレーム要素が一対となって自立した脚柱として用いられるものであり、
また前記ユーティリティ要素は、面方向を交差させた板状素材が組み合わされているものであり、
更にまた連結要素は、ロッド状またはワイヤ状部材が前記一対のフレーム要素を一または複数の連結効果位置において引き付け方向に加重するものであり、
前記フレーム要素とユーティリティ要素とが組み合わされるにあたっては、一対のフレーム要素の所定の位置にユーティリティ要素を挟み込み、この状態で連結効果位置において連結要素により一対のフレーム要素を引き寄せ方向に加重し、ここに挟んだユーティリティ要素が面方向を交差させていることにより、一対の非自立形状のフレーム要素の組み合わせが傾倒方向、捻じり方向共に剛性状態を発現させるように組み合わされる
ことを特徴とする家具構造体。
【請求項２】
前記フレーム要素は、椅子を構成するための脚部、座板支持部、背もたれ支持部を具えた椅子フレームであり、また前記ユーティリティ要素は、椅子を構成するための座板、背もたれ板であることを特徴とする請求項１記載の家具構造体。
【請求項３】
前記フレーム要素は、机を構成するための脚部、天板支持部、連結孔形成部を具えた机フレームであり、また前記ユーティリティ要素は、机を構成するための天板、リブ板であることを特徴とする請求項１記載の家具構造体。
【請求項４】
前記フレーム要素は、棚を構成するための棚フレームであり、また前記ユーティリティ要素は、棚を構成するための棚板、背面板であることを特徴とする請求項１記載の家具構造体。
【請求項５】
前記フレーム要素は、管材、アングル材、チャンネル材、棒材または、これらの組み合わせのものであることを特徴とする請求項１、２、３または４記載の家具構造体。
【請求項６】
前記ユーティリティ要素は、木質板材であることを特徴とする請求項１、２、３、４または５記載の家具構造体。
【請求項７】
前記ユーティリティ要素は、無垢杉板材であり、且つ樹長方向をフレーム要素にあてがうようにしたことを特徴とする請求項６記載の家具構造体。
【発明の詳細な説明】
【技術分野】
【０００１】
本発明は、椅子、机、棚等の家具に関するものであって、特に暖かな感触が得られる反面、強度面で不足しがちな例えば杉板材等を構成部材の一部に用いようとした場合に適切な、新規な家具構造体に関するものである。
【背景技術】
【０００２】
杉板材は、比較的材料密度が低く家具等に用いた場合には、表面感触が柔らかで、暖かみを感じさせる反面、充分な強度を得難いことや傷つき易いこと等から積極的に家具としての開発が試みられていない。
即ち杉材の材料密度が低いことは、ここに捻じ込む木ネジや、打ち込まれる釘等との結合強度を充分得られないことを意味し、杉材と木ネジ・釘などは、いわば相性が悪いものとして家具の構造体として利用する試みは、あまりなされていない。もちろん、このような低密度木材用の特殊木ネジとして、ネジ山が高く且つネジ寸法が長いものも提供されているが、薄板材が使用されることが多い椅子をはじめとする家具にあっては、このような特殊仕様のものは適用することができない。
即ち杉材と木ネジ等との相性の悪さは、家具等に用いる薄板の場合により顕著に現れてしまい、結果的に杉材を家具等に加工することは難しいものであった。
【０００３】
しかしながら、このような低密度の杉板材であっても、木径方向への圧縮等には、強度的に不十分である一方、樹長方向の圧縮ないしは座屈に対しては相当の強度を発揮することが知られている。
このため、杉板材等を例えば椅子等に利用することを試みる場合、強度メンバーとしてのフレーム部材には、例えば金属素材を適用し、座板等は杉板等を適用することが考慮し得る。このような構造自体は、既に周知技術ともいうべきものであるが、このような組み合わせ構造にあっては、殆んどフレーム部材については、それ自体で自立可能であったり、ボード等の板部材との間における互いの係止構造により自立した構造体となっており、杉材等にも適用可能な更にユニークな構造体は提案されていない。
【特許文献１】特開２０００−１５２８３２号公報
【特許文献２】特開２００７−３７７２５号公報
【発明の開示】
【発明が解決しようとする課題】
【０００４】
本発明は、このような背景を考慮してなされたものであり、杉等の低密度材であっても、その強度を充分活かしながら構成することができ、且つ杉材が嫌う木ネジ等の使用を排除したユニークな家具構造体の開発を試みたものである。
【課題を解決するための手段】
【０００５】
請求項１記載の家具構造体は、フレーム要素と、ユーティリティ要素と、連結要素とを具え、前記フレーム要素は、必要な強度を発現できる素材が非自立形状の脚柱部材として構成され、このフレーム要素が一対となって自立した脚柱として用いられるものであり、また前記ユーティリティ要素は、面方向を交差させた板状素材が組み合わされているものであり、更にまた連結要素は、ロッド状またはワイヤ状部材が前記一対のフレーム要素を一または複数の連結効果位置において引き付け方向に加重するものであり、前記フレーム要素とユーティリティ要素とが組み合わされるにあたっては、一対のフレーム要素の所定の位置にユーティリティ要素を挟み込み、この状態で連結効果位置において連結要素により一対のフレーム要素を引き寄せ方向に加重し、ここに挟んだユーティリティ要素が面方向を交差させていることにより、一対の非自立形状のフレーム要素の組み合わせが傾倒方向、捻じり方向共に剛性状態を発現させるように組み合わされる
ことを特徴として成るものである。
【０００６】
請求項２記載の家具構造体は、前記請求項１記載の要件に加え、フレーム要素については、椅子を構成するための脚部、座板支持部、背もたれ支持部を具えた椅子フレームであり、また前記ユーティリティ要素は、椅子を構成するための座板、背もたれ板であることを特徴として成るものである。
【０００７】
請求項３記載の家具構造体は、前記請求項１記載の要件に加え、フレーム要素については、机を構成するための脚部、天板支持部、連結孔形成部を具えた机フレームであり、また前記ユーティリティ要素は、机を構成するための天板、リブ板であることを特徴として成るものである。
【０００８】
請求項４記載の家具構造体は、前記請求項１記載の要件に加え、前記フレーム要素については、棚を構成するための棚フレームであり、また前記ユーティリティ要素は、棚を構成するための棚板、背面板であることを特徴として成るものである。
【０００９】
請求項５記載の家具構造体は、前記請求項１、２、３または４記載の要件に加え、前記フレーム要素については、管材、アングル材、チャンネル材、棒材または、これらの組み合わせのものであることを特徴として成るものである。
【００１０】
請求項６記載の家具構造体は、前記請求項１、２、３、４または５記載の要件に加え、前記ユーティリティ要素については、木質板材であることを特徴として成るものである。
【００１１】
請求項７記載の家具構造体は、前記請求項６記載の要件に加え、前記ユーティリティ要素については、無垢杉板材であり、且つ樹長方向をフレーム要素にあてがうようにしたことを特徴として成るものである。
【発明の効果】
【００１２】
まず請求項１記載の発明によれば、フレーム要素を充分な剛性を有する素材でユニット化した一対の部材として構成し、これに対し、板材を適用したユーティリティ要素を組み合わせ、且つ組み合わせにあたって、直接ユーティリティ要素に固定のための連結要素が作用しないように構成するものであり、ユーティリティ要素の強度特性を活かしながら、充分な剛性を具えた家具構造体を得ることができる。
【００１３】
また請求項２記載の発明によれば、特に使用者が直接触れることが多い椅子に適用したものであり、且つ椅子としての充分な強度を発揮しながら、いわゆる暖かみのある感触を得たものである。
【００１４】
また請求項３記載の発明によれば、上記発明の利点が机においても実現できる。
【００１５】
また請求項４記載の発明によれば、上記発明の利点が棚においても実現できる。
【００１６】
また請求項５記載の発明によれば、デザインコンセプト等に応じた適宜のフレーム要素の素材を適用することができる。
【００１７】
また請求項６記載の発明によれば、ユーティリティ要素は少なくとも木質板材を用い、柔らか味のある質感の製品が得られる。
【００１８】
また請求項７記載の発明によれば、ユーティリティ要素が無垢の杉板材であり、且つ単板、あるいは集成材であったとしても樹長方向をフレーム要素にあてがうものであることから、ユーティリティ要素としての杉板材が発揮する強度を活かして家具構造体が得られる。
【発明を実施するための最良の形態】
【００１９】
本発明を実施するための最良の形態は、以下述べる実施例をその一つとするものであるとともに、この技術思想に基づく種々の改良した実施例も含むものである。
【実施例１】
【００２０】
以下、本発明を図示の実施例に基づいて具体的に説明する。
本発明の家具構造体Ｃは、例示した椅子１、机２、棚３のほか種々のスツールや、踏み台等の家具に適用できることは言うまでもない。
家具構造体Ｃは、大別するとフレーム要素Ｆ、ユーティリティ要素Ｕ、連結要素Ｊの組み合わせから成るものであり、これらを実際に適用する椅子１の例から順次説明する。
【００２１】
まず図１〜４に示す椅子１の実施例では、フレーム要素Ｆたる椅子フレーム１１を例えば所定の強度が得られる金属パイプを曲成ないしは分岐状に溶接して構成する。即ち、椅子フレーム１１は、前後一対の脚部１２と、その間を上方でほぼ水平に連結する座板支持部１３と、更に座板支持部１３のやや後方から斜め上方に立ち上がるように例えば溶接接続した同様の金属丸パイプを用いた背もたれ支持部１４を具えてなり、この椅子フレーム１１が左右一対に組み合わされて椅子１の完成状態を得る。
そして単独の椅子フレーム１１は、これら脚部１２、座板支持部１３、背もたれ支持部１４とにより、実質的に一つの面が形成される。即ち単独の椅子フレーム１１としては、実用できる自立性は具えていないものであって、これを非自立性と定義する。
なお椅子フレーム１１については、脚部１２と、背もたれ支持部１４との両端には、丸パイプ状の素材の切り離し端を覆い被せる木製キャップ１１Ｃを嵌め込むことが好ましい。
【００２２】
次にユーティリティ要素Ｕの一部を構成する座板１５は、板状素材を用いるものであり、具体的には無垢の杉板材を用いるものを一例とする。もちろんこの杉板材は、一枚の単板でもあってもよいし、例えば杉の生産林で派生的に生じる間伐材等を板状に挽き割り、これを樹長方向に接ぎ合わせた集成材であってもよい。
そしてその使用方向は、杉無垢材の場合、その樹長方向の木口面に一例として椅子フレーム１１の周面円弧に合わせた当たり凹部１５０を設ける。即ち座板１５は、杉板材を適用した場合、その樹長方向が椅子フレーム１１に付き合わされるように組み合わされる。
同様に背もたれ板１６についても、座板１５とほぼ同一の素材を用い、且つ樹長方向の木口面に当たり凹部１６０を設ける。
そして、前記座板１５と背もたれ板１６とは、その面の方向を直接ではないが、延長方向において交差するような配置とする、即ち座板１５はほぼ水平に配置されるとともに、背もたれ板１６はやや上方が後傾した形態に配置される。
【００２３】
このようなフレーム要素Ｆたる椅子フレーム１１と、ユーティリティ要素Ｕたる座板１５と背もたれ板１６とを一体化する連結要素Ｊとして、ジョイントロッド１７が用いられる。一例としてこのものは、いわゆるターンバックル状のものであって、左右に分割された二本のロッド部１７１を中央のユニオンネジ部１７２で締結し、椅子フレーム１１を引き寄せ方向に加重するような作用を行う。そのためにロッド部１７１は、頭部１７１ａを具えるとともに、左右で逆ネジ状態の関係に構成するとともに、頭部１７１ａには、回り止め対策のため、六角レンチ受孔またはプラス・マイナスのドライバー受孔を設けておくことが好ましい。
【００２４】
このようなジョイントロッド１７を受け入れるための連結孔１８を、フレーム要素Ｆたる椅子フレーム１１の連結効果位置に形成する。この実施例では、一対の椅子フレーム１１を引き付けた際に、椅子フレーム１１の座板支持部１３並びに背もたれ支持部１４が共に、座板１５、背もたれ板１６を挟み込む方向に維持するモーメントを発揮できる位置に形成するものであり、具体的には、連結効果位置は、椅子フレーム１１における背もたれ支持部１４の下方寄りに設けるものである。
【００２５】
更に前記座板１５と、背もたれ板１６との取り付けを安定的に行うために、椅子フレーム１１の背もたれ支持部１４の上方及び、座板支持部１３の前方の位置における内側のみにダボ孔１９を開口させ、これに対応して背もたれ板１６にダボ１６１に突設させ、また座板１５にもダボ１５１を突設させる。
なお前記ジョイントロッド１７は、更に椅子フレーム１１の脚部１２と座板支持部１３との前方の屈曲点近くに構成して、ジョイントロッド１７を二本配設するような形態をとっても差し支えない。
【００２６】
このような椅子１の組み付け状態について更に説明すると、椅子フレーム１１の各々は自立性はないものの、これらを対向的に立ち上げた状態でこれらの間に、座板１５と、背もたれ板１６とを嵌め込むようにする。このとき椅子フレーム１１に対して座板１５と、背もたれ板１６とは、当たり凹部１５０、当たり凹部１６０により正確にあてがわれるようになる。好ましくは当たり凹部１５０は、それぞれ着座者が接する側、即ち座板１５で言えば上方、背もたれ板１６で言えばその前方が、椅子フレーム１１より着座者側に張り出すように幾分偏心的に構成することが好ましい。
【００２７】
このような状態で、ジョイントロッド１７を連結孔１８に通してユニオンネジ部１７２を締め込んでいけば、この締め込み作用は、まず座板１５を締め付けるとともに、背もたれ板１６も締め付けることとなる。
即ち、ジョイントロッド１７の締め込みにより、例えば座板１５が存在しないことを仮定すると、背もたれ板１６が上方に存在することになり、椅子フレーム１１は、脚部１２が内窄まり状態のモーメントを受けるが、この部位に座板１５が存在することにより、そのモーメントが座板１５を両木口面から押し付けるような作用となり、結果的に座板１５と、背もたれ板１６とが緊締部材による直接的な保持作用を受けなくとも、椅子フレーム１１の締め込みを受けて固定される。
【００２８】
この結果、図４（ａ）に示すように椅子１を正面から見た場合の左右の傾き方向の動きは、背もたれ板１６が椅子フレーム１１の背もたれ支持部１４に一定長さに亘って密着するような状態となり、その動きが阻止される。この作用とともに、図４（ｂ）に示すように上方から見て椅子１の捻じり方向の動きは、座板１５の両木口面の当たり凹部１５０が椅子フレーム１１の座板支持部１３と密着することで捻じり方向の変形が阻止されている。
なお前後の傾倒は、椅子フレーム１１自体の脚部１２により対応するものである。
【実施例２】
【００２９】
＜机に適用した実施例＞
次に机２に適用する実施例について説明する。
このものも、基本的な構造体の原理は、椅子１と同様であり、まずフレーム要素Ｆたる机フレーム２１は、金属丸パイプを用いて構成し、脚部２２、天板支持部２３、連結孔形成部２４を具える。
ユーティリティ要素Ｕたる天板２５は、１枚の平板状の板材であり、一例として中央部に平行に２列リブ板２６を一体に形成している。この結果、天板２５とリブ板２６とが面方向を交差させているものである。
そして、ジョイントロッド２７は、ロッド部２７１とユニオンネジ部２７２とを具え、ロッド部２７１は、それぞれの端部に頭部２７１ａを有する。また机フレーム２１は、前記連結孔形成部２４の連結効果位置において連結孔２８を開口させている。
【００３０】
このものも椅子１と同様に、非自立性であるフレーム要素Ｆたる机フレーム２１を、対設した状態でユーティリティ要素Ｕたる天板２５をその中間に挟み込み、ジョイントロッド２７の締め込みにより一体構成させる。なおこの実施例においては、天板２５は、机フレーム２１における天板支持部２３に対し、その当たり凹部２５０において付き合わされ、全範囲で密着しているが、リブ板２６については、天板２５の一部を上端として、その下端側における当たり凹部２６０でのみ連結孔形成部２４の一部と接した状態を保っている。
【実施例３】
【００３１】
＜棚に対応した実施例＞
家具構造体Ｃの更に他の適用事例である棚３の構成についても、前述した椅子１、机２と共通するものであり、フレーム要素Ｆたる棚フレーム３１は、適宜金属パイプを逆Ｕ字状に形成し、ほぼ平行に形成した支柱状の支持部３２を実質とする。この支持部３２には、棚板支持部３３が多数開口形成され、棚板３５の設定位置を適宜選択できるようにしている。
これに対してユーティリティ要素Ｕたる棚板３５は、側端面に前記棚板支持部３３に嵌まるダボ３５１を設ける。また背面板３６も同様にダボ３６１を突出させるものであり、このものも背面板支持部３４に嵌まり込むようにする。
【００３２】
そして連結要素Ｊたるジョイントロッド３７を、上下方向の棚フレーム３１の適宜の連結効果位置を選択して、複数箇所で左右のそれぞれの棚フレーム３１を締結する。即ち棚フレーム３１に対して連結孔３８を適宜開口させ、左右の非自立性の棚フレーム３１同士を締結する。棚３の場合は、高さが比較的高く、奥行方向が狭いため、ジョイントロッド３７を複数設けることが好ましい。
【実施例４】
【００３３】
＜構成要素ごとの他の実施の形態＞
本発明は以上述べた実施の形態を一つの基本的な技術思想とするものであるが、更に家具構造体Ｃ、フレーム要素Ｆ、ユーティリティ要素Ｕ、連結要素Ｊについて、種々の改変が考えられる。
＜フレーム要素Ｆについての他の実施例＞
まず素材については、既に述べた実施例では金属丸パイプを適用したものであるが、それ以外に金属角パイプ、アングル材、チャンネル材、更にはこれらの組み合わせが可能である。特に図７に示すように、アングル材を適用した場合にこのものは極めて汎用素材としての性格から、いわばデザイン的な評価としていわゆる安物感が生じがちであり、この椅子フレーム１１とした場合には、脚部１２については丸パイプ等を溶接するなどの組み合わせ手法が採り得る。
【００３４】
更にまた椅子１を想定した場合のフレーム要素Ｆたる椅子フレーム１１の実施例としては、側面視の形状で、図８（ａ）に示すように一本の素材を曲成して、脚部１２の下端を水平に床付部部１２１として形成するとともに、背もたれ支持部１４を上端側に切り離し状態に設けるような形態も採り得る。
また図８（ｂ）に示すものは、椅子フレーム１１を背もたれ支持部１４の上方から下方に垂直に屈曲延長させて、後方の脚部１２を形成するようにしたものである。
また図８（ｃ）に示すものは、既に椅子フレーム１１については、このものがほぼ一つの面を構成すると述べたが、厳密には脚部１２が下方に外拡がり状になるような形態とすることももとより差し支えない。
【００３５】
また更に図８（ｄ）に示すものは、例えば丸棒状の部材を曲成する場合、例えば背もたれ支持部１４を上端で折り返すようにして、図８（ｅ）に示すように断面図でみると二本の金属棒材を重なり合うような形態としたものであり、この場合例えば背もたれ板１６の木口面には、二条の当たり凹部１６０を形成する。
更にまたフレーム要素Ｆは、上述のように杆状素材を適宜曲成して構成するほか、プレス鋼板、鋳造部材、ＦＲＰ、切り抜き木質材等必要な強度が保たれる限り他の素材を用いることが可能である。
【００３６】
＜ユーティリティ要素Ｕについての他の実施例＞
ユーティリティ要素Ｕとしては、板状部材であり、面方向を交差させたものであることが要件であるが、それぞれの板状素材については、完全な単板状にせずに、例えば図９（ａ）に示すようにスノコ状に構成してももとより差し支えない。
また図９（ｂ）に示す実施例は、座板１５、背もたれ板１６、天板２５等に適用できるが、木口面の全面においてフレーム要素Ｆと接する必要はなく、その両端部のみで接するような形態としてもよい。またユーティリティ要素Ｕは、完全な平板とするほか、図示は省略するが曲成板等を適用することが可能である。
【００３７】
＜連結要素Ｊについての他の実施例＞
連結要素Ｊとしては、既に述べたようなボルト状のロッド（例えば符号１７１で示すものなど）を用い、その中央でユニオンネジ部（例えば符号１７２で示す）としたターンバックルタイプを用いるほか、図１０（ａ）に示すようなロッド部７１の一方の端部に深ナット７２を嵌めるような方式、更には図１０（ｂ）に示すようにフレーム要素Ｆたる椅子フレーム１１に連結孔１８をブラケット状に突出させ、それらをワイヤ７７を適用させてループ７７ａを形成し、それをスプライス７７ｂにより緊縛するような形としてもよい。
また、図１０（ｃ）に示すような偏心カム７８ｃを適用したいわゆるクイックレリーズ７８による締め付けも可能である。
更にまた図１０（ｄ）に示すものは、トグルバックル７９を用いたものである。この実施例における連結要素Ｊの全体の長さ調整は、それぞれロッド部７９ａの端部に調整可能になるように十分長い雄ネジを形成し、これに対応してキャップ状の長ナット７９ｂを嵌め込むことにより行うものである。
【図面の簡単な説明】
【００３８】
【図１】本発明の家具構造体を適用した椅子を示した斜視図並びに分解斜視図である。
【図２】同上側面図である。
【図３】同上正面図である。
【図４】同上の背もたれ部における耐荷重状態を示した正面図、及び座板における耐荷重状態を示した平面図である。
【図５】本発明の家具構造体を適用した机を示した分解斜視図並びに一部拡大断面図である。
【図６】本発明の家具構造体を適用した棚を示した分解斜視図である。
【図７】本発明の家具構造体を構成するフレーム要素に関する他の実施例を示す一部拡大斜視図である。
【図８】本発明の家具構造体を構成するフレーム要素に関する更に他の実施例を示すものであって、（ａ）と（ｂ）と（ｄ）は側面図であり、また（ｃ）は斜視図であり、また更に（ｅ）は（ｄ）におけるｅ−ｅ線における断面図である。
【図９】本発明の家具構造体を構成するユーティリティ要素に関する他の実施例を示す斜視図である。
【図１０】本発明の家具構造体を構成する連結要素に関する他の実施例を示す斜視図である。
【符号の説明】
【００３９】
Ｃ          家具構造体
Ｆ          フレーム要素
Ｕ          ユーティリティ要素
Ｊ          連結要素
１          椅子
１１        椅子フレーム
１１Ｃ      木製キャップ
１２        脚部
１２１      床付部部
１３        座板支持部
１４        背もたれ支持部
１５        座板
１５０      当たり凹部
１５１      ダボ
１６        背もたれ板
１６０      当たり凹部
１６１      ダボ
１７        ジョイントロッド
１７１      ロッド部
１７１ａ    頭部
１７２      ユニオンネジ部
１８        連結孔
１９        ダボ孔
２          机
２１        机フレーム
２２        脚部
２３        天板支持部
２４        連結孔形成部
２５        天板
２５０      当たり凹部
２６        リブ板
２６０      当たり凹部
２７        ジョイントロッド
２７１      ロッド部
２７１ａ    頭部
２７２      ユニオンネジ部
２８        連結孔
３          棚
３１        棚フレーム
３２        支持部
３２１      連結孔支持部
３３        棚板支持部
３４        背面板支持部
３５        棚板
３５１      ダボ
３６        背面板
３６１      ダボ
３７        ジョイントロッド
３７１      ロッド部
３７１ａ    頭部
３７２      ユニオン
３８        連結孔
５０        竿板
５１        継ぎ板
５２        肉板
７０        ジョイント
７１        ロッド部
７２        深ナット
７３        ナット
７７        ワイヤ
７７ａ      ループ
７７ｂ      スプライス
７８        クイックレリーズ
７８ｃ      カム面
７９        トグルバックル
７９ａ      ロッド部
７９ｂ      長ナット
【図１】
2009293662.tif 000003
【図２】
2009293662.tif 000004
【図３】
2009293662.tif 000005
【図４】
2009293662.tif 000006
【図５】
2009293662.tif 000007
【図６】
2009293662.tif 000008
【図７】
2009293662.tif 000009
【図８】
2009293662.tif 000010
【図９】
2009293662.tif 000011
【図１０】
2009293662.tif 000012